(57)【要約】      （修正有）【課題】使用勝手の良好な履物を提供する。【解決手段】履物Ｆは、底部１と、この底部１に接合され、足の甲部と足の踵部の一部を覆うアッパー２と、略Ｕ字状に形成した帯状部材のバックベルト３とを備える。バックベルト３の一方の端部に第１の長穴３ａを設け、第１の長穴３ａを貫通して第１の留め具４を介してバックベルト３をアッパー２の内側に取り付け、バックベルト３の他方の端部に第２の長穴３ａ’を設け、この第２の長穴３ａ’を貫通して第２の留め具４’を介してバックベルト３をアッパー２の内側に取り付ける。この取り付けにより、バックベルト３をスライド及び回動させると共に、足のかかとにバックベルト３を当接させて、足のかかとの動きに追随させるものである。【選択図】図６
0003163175.tif 000002
【実用新案登録請求の範囲】
【請求項１】
履き口を有する履物であって、
底部と、
この底部に接合され、足の甲部と足の踵部の一部を覆うアッパーと、
略Ｕ字状に形成した帯状部材のバックベルトとを備え、
前記バックベルトの一方の端部に近い側であって、前記バックベルトの長手方向に沿うように、前記バックベルトに第１の長穴を設け、この第１の長穴を貫通して第１の留め具を介して前記バックベルトを前記アッパーの内側に取り付け、
前記バックベルトの他方の端部に近い側であって、前記バックベルトの長手方向に沿うように、前記バックベルトに第２の長穴を設け、この第２の長穴を貫通して第２の留め具を介して前記バックベルトを前記アッパーの内側に取り付け、
この取り付けにより、前記バックベルトをスライド及び回動させると共に、足のかかとに前記バックベルトを当接させて、前記足のかかとの動きに追随させる
ことを特徴とする履物。        
【請求項２】
バックベルトの表面より突出する突起部を前記バックベルトの外側であって、前記バックベルトの足の踵から足の甲に向かう足の内側ルート、足の外側ルートの内、前記足の内側ルートの中途に取り付け、
前記突起部が履き口の周縁部に係止する
ことを特徴とする請求項１記載の履物。
【請求項３】
バックベルトの表面より突出する突起部を前記バックベルトの外側であって、前記バックベルトの足の踵から足の甲に向かう足の内側ルート、足の外側ルートの内、前記足の内側ルートの中途に取り付け、
前記突起部は、指先で摘まむことのできる大きさの平坦面を有し、前記バックベルトの外側に張り出し、前記突起部が履き口の周縁部に係止する
ことを特徴とする請求項１記載の履物。
【考案の詳細な説明】
【技術分野】
【０００１】
本考案は、履物に係り、特に、使用勝手の良好な履物に関する。
【背景技術】
【０００２】
従来、履物として、かかとにバックベルトを当接して使用するものがある（例えば、特許文献参照）。
【先行技術文献】
【特許文献】
【０００３】
【特許文献１】実用新案登録第３１５６５２４号公報
【考案の概要】
【考案が解決しようとする課題】
【０００４】
この履物は、履き口がくるぶしより下にある履物であって、底部と、この底部に接合され、足の甲部を覆うアッパーと、略Ｕ字状に形成した帯状部材のバックベルトとを備え、バックベルトの両端部をアッパーの内側に回動自在に取り付け、足のかかとにバックベルトを当接させて、前記足のかかとの動きに追随させるものである。
しかしながら、上述の履物にあっては、バックベルトの踵の部位は、アッパーの踵の内側に位置するため、足を履物に入れる際、履き口が小さく、足を入れにくいという問題点があった。
【０００５】
本考案は、上記の問題点を除去するようにした履物を提供することを目的とする。
【課題を解決するための手段】
【０００６】
請求項１記載の履物は、履き口を有する履物であって、底部と、この底部に接合され、足の甲部と足の踵部の一部を覆うアッパーと、略Ｕ字状に形成した帯状部材のバックベルトとを備え、前記バックベルトの一方の端部に近い側であって、前記バックベルトの長手方向に沿うように、前記バックベルトに第１の長穴を設け、この第１の長穴を貫通して第１の留め具を介して前記バックベルトを前記アッパーの内側に取り付け、前記バックベルトの他方の端部に近い側であって、前記バックベルトの長手方向に沿うように、前記バックベルトに第２の長穴を設け、この第２の長穴を貫通して第２の留め具を介して前記バックベルトを前記アッパーの内側に取り付け、この取り付けにより、前記バックベルトをスライド及び回動させると共に、足のかかとに前記バックベルトを当接させて、前記足のかかとの動きに追随させるものである。
【０００７】
また、請求項２記載の履物は、請求項１記載の履物において、バックベルトの表面より突出する突起部を前記バックベルトの外側であって、前記バックベルトの足の踵から足の甲に向かう足の内側ルート、足の外側ルートの内、前記足の内側ルートの中途に取り付け、前記突起部が履き口の周縁部に係止するものである。
【０００８】
また、請求項３記載の履物は、請求項１記載の履物において、バックベルトの表面より突出する突起部を前記バックベルトの外側であって、前記バックベルトの足の踵から足の甲に向かう足の内側ルート、足の外側ルートの内、前記足の内側ルートの中途に取り付け、前記突起部は、指先で摘まむことのできる大きさの平坦面を有し、前記バックベルトの外側に張り出し、前記突起部が履き口の周縁部に係止するものである。
【考案の効果】
【０００９】
請求項１記載の履物によれば、足のかかとにバックベルトを当接させて、足のかかとの動きに追随させることに加え、バックベルトをスライドさせて履き口を広くして、足を履き口に入れ易くして、使用勝手を向上させることができる効果を有する。
【００１０】
また、請求項２記載の履物によれば、前述した請求項１記載の考案の効果に加え、バックベルトの表面より突出する突起部を前記バックベルトの外側であって、前記バックベルトの足の踵から足の甲に向かう足の内側ルート、足の外側ルートの内、前記足の内側ルートの中途に取り付けているため、突起部がバックベルトの踵の位置にあるものに比較し、他方の履物のつま先を一方の履物の踵の位置まで移動させないで突起部を押さえて、一方の履物から、足を離脱させることができる。
【００１１】
また、請求項３記載の履物によれば、前述した請求項１記載の考案の効果に加え、バックベルトの表面より突出する突起部を前記バックベルトの外側であって、前記バックベルトの足の踵から足の甲に向かう足の内側ルート、足の外側ルートの内、前記足の内側ルートの中途に取り付けているため、突起部がバックベルトの踵の位置にあるものに比較し、他方の履物のつま先を一方の履物の踵の位置まで移動させないで突起部を押さえて、一方の履物から、足を離脱させることができ、しかも、突起部は、指先で摘まむことのできる大きさの平坦面を有し、バックベルトの外側に張り出しているため、突起部を指先で摘んだり、又は履物のつま先で押さえ易く、操作性が良い。
【図面の簡単な説明】
【００１２】
【図１】図１は、本考案の一実施例の履物に足を入れた状態の概略的側面図である。
【図２】図２は、図１の履物の使用状態を示す概略的側面図である。
【図３】図３は、図１の履物から足を外す状態を示す概略的側面図である。
【図４】図４は、図１の４−４線による概略的断面図である。
【図５】図５は、図１の５−５線による概略的断面図である。
【図６】図６は、図１の履物の一部を分解して示す概略的一部分解斜視図である。
【図７】図７は、図１の履物のバックベルトを図中の矢印方向へ移動させた状態の概略的断面図である。
【図８】図８は、図１の履物のバックベルトを図中の矢印方向へ移動させた状態の概略的断面図である。
【図９】図９は、図７の概略的平面図である。
【図１０】図１０は、図９のアッパーを広げ、履物に足を入れ、前記アッパーを閉じる前の状態の概略的側面図である。
【図１１】図１１は、図１０の履物のアッパーを閉じた状態の概略的側面図である。
【図１２】図１２は、図１の履物の突起部の位置が異なった他の実施例の履物の概略的側面図である。
【考案を実施するための形態】
【００１３】
本考案の一実施例の履物を図面を参照して説明する。
図１に示すＦは履物で、履物Ｆは、履き口を有し、底部１と、この底部１に接合され、足の甲部と足の踵部の一部を覆うアッパー２と、略Ｕ字状に形成した帯状部材のバックベルト３とを備えている（図１乃至図１１参照）。
なお、アッパー２には、切れ込み２１が設けられ、使用者の足に合わせ、その状態を保持するように、バンドＢの裏面とアッパー２の表面にそれぞれ面状ファスナーＭ１、Ｍ２が設けられている（図１０及び図１１参照）。
【００１４】
バックベルト３は、図６に示すように、帯状部材を略Ｕ字状に形成したもので、バックベルト３の一方の端部３Ａに近い側であって、バックベルト３の長手方向に沿うように、バックベルト３に第１の長穴３ａを設け、また、バックベルト３の他方の端部３Ｂに近い側であって、バックベルト３の長手方向に沿うように、バックベルト３に第２の長穴３ａ’を設けている。そして、第１の長穴３ａを貫通して第１の留め具４を介してバックベルト３をアッパー２の内側に取り付け、また、第２の長穴３ａ’を貫通して第２の留め具４’を介してバックベルト３をアッパー２の内側に取り付け、これらの取り付けにより、バックベルト３をスライド及び回動させると共に、足のかかとにバックベルト３を当接させて、前記足のかかとの動きに追随させるさせるようにしている。また、図６に示す５は、中敷きである。 
【００１５】
また、図１に示す６は、バックベルト３の表面より突出する突起部で、突起部６はバックベルト３の外側であって、バックベルト３の足の踵から足の甲に向かう足の内側ルート３１、足の外側ルート３２の内、足の内側ルート３２の中途に取り付けられている。
突起部６を詳述すれば、突起部６は、指先で摘まむことのできる大きさの平坦面を有し、バックベルト３の外側に張り出し、突起部６が履き口の周縁部に係止するようになっている。
なお、突起部６はつま先で押さえ付けるようにしても良いが、場合により、指先で押さえ付けるようにしても良い。
【００１６】
履物Ｆを履く場合、バックベルト３を図８に示す状態から図７に示す矢印方向にスライドさせて履き口を広くして（図７、図９参照）、足を履き口に入れ易くして、使用勝手を向上させることができ、
しかも、バックベルト３はアッパー２の内側に取り付けられているため、足の置き場が小さくなり、該小さくなった分、足のかかとの周囲にバックベルト３が当接し易く、当接すると、手を使わずに、つまり、バックベルト３を手で持ち上げなくても、バックベルト３が足のかかとに当接して、かかとの動きに追随し、かかとが履物Ｆから離間しても、バックベルト３は回動して（図２参照）足のかかとに当接し、脱げにくい等使用勝手を向上させることができる。
【００１７】
履物Ｆを脱ぐ場合、図３に示すように、履いている他方の履物Ｆ’の先端を突起部６に接触させて、バックベルト３を足の踵から離脱させるようにしている。つまり、バックベルト３の表面より突出する突起部６をバックベルト３の外側であって、バックベルト３の足の踵から足の甲に向かう足の内側ルート３１、足の外側ルート３２の内、足の内側ルート３１の中途に取り付けているため、突起部６がバックベルト３の踵の位置にあるものに比較し、他方の履物Ｆ’のつま先を一方の履物Ｆの踵の位置まで移動させないで突起部６を押さえて（突起部６を履き口の周縁部に係止させて）、一方の履物Ｆから手を使用しないで（手の不自由な人でも）、足を離脱させることができる。
【００１８】
次に、バックベルト３をアッパー２に着脱自在に取り付ける第１、第２の留め具４、４’を図４及び図６を参照して、以下説明する。
バックベルト３の一方の端部３Ａに近い側であって、バックベルト３の長手方向に沿うように、バックベルト３に第１の長穴３ａを設け、この第１の長穴３ａを貫通して第１の留め具４をアッパー２の穴２ａを介してアッパー３の内側に取り付けている。
また、バックベルト３の他方の端部３Ｂに近い側であって、バックベルト３の長手方向に沿うように、バックベルト３に第２の長穴３ａ’を設け、この第２の長穴３ａ’を貫通して第２の留め具４’をアッパー２の穴２ａ’を介してアッパー３の内側に取り付けている。
【００１９】
第１、第２の留め具４、４’は、先行技術文献として記載した実用新案登録第３１５６５２４号公報に開示の留め具４と同じ構造なので、その詳細な説明を省略する。
第１の留め具４（第２の留め具４’）は、バックベルト３の足に当接する側に位置する第１の部材４１（４１’）とアッパー２の外側に位置する第２の部材４２（４２’）とを有している。第１の部材４１（４１’）及び 第２の部材４２（４２’）は、共に、例えば、合成樹脂で成形される。
第１の部材４１（４１’）は、平坦なベース４１ａ（４１’ａ）と、このベースベース４１ａ（４１’ａ）より突出すると共に、ベース４１ａ（４１’ａ）に対して略直交する方向に長い長手形状の突出部４１ｂ（４１’ｂ）と、この突出部４１ｂ（４１’ｂ）の先端に設けられ、突出部４１ｂ（４１’ｂ）の長手方向に略直交する方向に張り出すと共に、突出部４１ｂ（４１’ｂ）の長手方向に略直交する方向に長い長手形状の張出部４１ｃ（４１’ｃ）とを有している。
そして、突出部４１ｂ（４１’ｂ）に第２の部材４２（４２’）を係止させるようにしている。
【００２０】
なお、上述した実施例においては、突起部６の下部の一部が履き口の周縁と部分的に接触しているが（図１参照）、図１２に示すように、突起部６の下部の履き口に対向する部位の全体に亘って履き口の周縁を接触させるように、突起部６をアッパー２に取り付けるようにしても良い。
【符号の説明】
【００２１】
Ｆ      履物
１      底部
２      アッパー
３      バックベルト
３ａ    第１の長穴
３ａ’  第２の長穴
４      第１の留め具
４’    第２の留め具
【図１】
0003163175.tif 000003
【図２】
0003163175.tif 000004
【図３】
0003163175.tif 000005
【図４】
0003163175.tif 000006
【図５】
0003163175.tif 000007
【図６】
0003163175.tif 000008
【図７】
0003163175.tif 000009
【図８】
0003163175.tif 000010
【図９】
0003163175.tif 000011
【図１０】
0003163175.tif 000012
【図１１】
0003163175.tif 000013
【図１２】
0003163175.tif 000014